(57)【特許請求の範囲】
【請求項１】
入力される音声信号の音量を測定する音量監視装置であって、
入力される音声信号を、切り出し開始位置を移動させながら所定の切り出し区間で切り出し、複数のゲーティングブロックを生成する音声信号切出部と、
前記ゲーティングブロックの音量レベルが絶対閾値を超えるか否かを判定する絶対ゲーティング判定部と、
前記絶対ゲーティング判定部により前記音量レベルが前記絶対閾値を超えると判定されたゲーティングブロックを用いて平均ラウドネス値を算出する平均ラウドネス値算出部と、を備え、
前記音声信号切出部は、前記絶対ゲーティング判定部による判定結果に応じて前記切り出し開始位置の移動量を異なる値とすることを特徴とする音量監視装置。
【請求項２】
前記平均ラウドネス値算出部は、
前記音量レベルが前記絶対閾値を超えると判定されたゲーティングブロックのラウドネス値である絶対ラウドネス値を算出する絶対ラウドネス値算出部と、
前記絶対ラウドネス値から相対的に求めた相対閾値を超えると判定されたゲーティングブロックを用いて、測定開始時刻から測定終了時刻までの区間、又は音声信号全体の区間における平均ラウドネス値を算出する最終ラウドネス値算出部と、
を備えることを特徴とする、請求項１に記載の音量監視装置。
【請求項３】
前記音声信号切出部は、前記絶対ゲーティング判定部により前記音量レベルが前記絶対閾値以下と判定された場合には、前記切り出し開始位置の移動量を所定のスライド幅である第２のスライド幅よりも短い第１のスライド幅とし、前記音量レベルが前記絶対閾値を超えると判定された場合には、前記切り出し開始位置の移動量を前記第２のスライド幅とすることを特徴とする、請求項１又は２に記載の音量監視装置。
【請求項４】
前記音声信号切出部は、前記絶対ゲーティング判定部により前記音量レベルが前記絶対閾値を超えると判定されるまでの間、前記切り出し開始位置の移動量を所定のスライド幅である第２のスライド幅よりも短い第１のスライド幅とし、前記音量レベルが前記絶対閾値を超えたと判定された後は、測定が終了するまで前記切り出し開始位置の移動量を前記第２のスライド幅とすることを特徴とする、請求項１又は２に記載の音量監視装置。
【請求項５】
前記音声信号切出部は、前記絶対ゲーティング判定部により前記音量レベルが前記絶対閾値以下と判定された場合には、前記音量レベルが大きくなるほど前記切り出し開始位置の移動量が短くなるように変化させ、前記音量レベルが前記絶対閾値を超えると判定された場合には前記切り出し開始位置の移動量を一定とすることを特徴とする、請求項１又は２に記載の音量監視装置。
【請求項６】
コンピュータを、請求項１から５のいずれか一項に記載の音量監視装置として機能させるためのプログラム。
【発明の詳細な説明】
【技術分野】
【０００１】
本発明は、番組制作時に番組の音量を測定する音量監視装置及びプログラムに関する。
【背景技術】
【０００２】
従来、番組音声のレベル管理は、ＶＵ(Volume Unit）計などを用いて、音声信号の瞬時値がオーバーシュートしないように管理されてきた。しかし、これらの音量監視装置は、音声レベルの瞬時値を示す装置であって、番組全体を通した音声レベルの管理には向かなかった。
【０００３】
そこで近年では、非特許文献１に規定されるラウドネス測定法によって算出される平均ラウドネス値による番組音声レベルの管理が行われるようになった。また、非特許文献２によれば、番組全体を通しての平均ラウドネス値を、目標ラウドネス値（−２４ＬＫＦＳ）の許容範囲以内（±１ｄＢ）に収めるように運用規定が定められている。
【先行技術文献】
【非特許文献】
【０００４】
【非特許文献１】Recommendation ITU-R BS.1770-3， “Algorithms to measure audio programme loudness and true-peak audio level”
【非特許文献２】ARIB TR-B32， “デジタルテレビ放送番組におけるラウドネス運用規定”
【発明の概要】
【発明が解決しようとする課題】
【０００５】
非特許文献１に規定されるラウドネス測定法は、入力音声信号を１００ｍｓ間隔で移動させて４００ｍｓ区間のブロック（ゲーティングブロック）で切り出し、各ゲーティングブロックのラウドネス値（ゲーティングブロックラウドネス値）を算出する。ある一定レベル以下の音声信号は聴感上のラウドネスに寄与しないとされ、ゲーティングブロックラウドネス値が絶対閾値（−７０ＬＫＦＳ）を下回る場合（絶対ゲーティング）や、絶対ゲーティング後のラウドネス値（本明細書では、「絶対ラウドネス値」と称する）より１０ｄＢ低い相対閾値を下回る場合（相対ゲーティング）は、番組全体の平均ラウドネス値の算出に用いないことになっている。
【０００６】
非特許文献1に規定されるラウドネス測定法は、測定開始後一律に入力音声信号を１００ｍｓ間隔で移動させて４００ｍｓ区間のブロック（ゲーティングブロック）で切り出すため、閾値付近の値をもつゲーティングブロック数が多い番組音声を測定する場合に、測定開始時刻を手動で変更すると、最終的な平均ラウドネス値が許容範囲以上に変動することがあった。また、タイムコード等で測定開始時刻を正確に管理した場合でも、リップシンクを合わせるなど編集点を微調整したときに番組全体の平均ラウドネス値が変化してしまうことがあった。
【０００７】
かかる事情に鑑みてなされた本発明の目的は、測定開始時刻が変わった場合でも、測定結果の再現性の高い音量監視装置及びプログラムを提供することにある。
【課題を解決するための手段】
【０００８】
上記課題を解決するため、本発明に係る音量監視装置は、入力される音声信号の音量を測定する音量監視装置であって、入力される音声信号を、切り出し開始位置を移動させながら所定の切り出し区間で切り出し、複数のゲーティングブロックを生成する音声信号切出部と、前記ゲーティングブロックの音量レベルが絶対閾値を超えるか否かを判定する絶対ゲーティング判定部と、前記絶対ゲーティング判定部により前記音量レベルが前記絶対閾値を超えると判定されたゲーティングブロックを用いて平均ラウドネス値を算出する平均ラウドネス値算出部と、を備え、前記音声信号切出部は、前記絶対ゲーティング判定部による判定結果に応じて前記切り出し開始位置の移動量を異なる値とすることを特徴とする。
【０００９】
さらに、本発明に係る音量監視装置において、前記平均ラウドネス値算出部は、前記音量レベルが前記絶対閾値を超えると判定されたゲーティングブロックのラウドネス値である絶対ラウドネス値を算出する絶対ラウドネス値算出部と、前記絶対ラウドネス値から相対的に求めた相対閾値を超えると判定されたゲーティングブロックを用いて、測定開始時刻から測定終了時刻までの区間、又は音声信号全体の区間における平均ラウドネス値を算出する最終ラウドネス値算出部と、を備えることを特徴とする。
【００１０】
さらに、本発明に係る音量監視装置において、前記音声信号切出部は、前記絶対ゲーティング判定部により前記音量レベルが前記絶対閾値以下と判定された場合には、前記切り出し開始位置の移動量を所定のスライド幅である第２のスライド幅よりも短い第１のスライド幅とし、前記音量レベルが前記絶対閾値を超えると判定された場合には、前記切り出し開始位置の移動量を前記第２のスライド幅とすることを特徴とする。
【００１１】
さらに、本発明に係る音量監視装置において、前記音声信号切出部は、前記絶対ゲーティング判定部により前記音量レベルが前記絶対閾値を超えると判定されるまでの間、前記切り出し開始位置の移動量を所定のスライド幅である第２のスライド幅よりも短い第１のスライド幅とし、前記音量レベルが前記絶対閾値を超えたと判定された後は、測定が終了するまで前記切り出し開始位置の移動量を前記第２のスライド幅とすることを特徴とする。
【００１２】
さらに、本発明に係る音量監視装置において、前記音声信号切出部は、前記絶対ゲーティング判定部により前記音量レベルが前記絶対閾値以下と判定された場合には、前記音量レベルが大きくなるほど前記切り出し開始位置の移動量が短くなるように変化させ、前記音量レベルが前記絶対閾値を超えると判定された場合には前記切り出し開始位置の移動量を一定とすることを特徴とする。
【００１３】
また、上記課題を解決するため、本発明に係るプログラムは、コンピュータを、上記音量監視装置として機能させることを特徴とする。
【発明の効果】
【００１４】
本発明によれば、測定開始時刻が変わった場合や編集点を微調整した場合でも、分析開始時刻を高精度に検出することができ、高い再現精度で平均ラウドネス値が得られるようになる。
【図面の簡単な説明】
【００１５】
【図１】本発明に係る音量監視装置の構成例を示すブロック図である。
【図２】本発明に係る音量監視装置における音声信号分析部の構成例を示すブロック図である。
【図３】本発明に係る音量監視装置における音声信号分析部における音声信号の切り出しの例を示す図である
【図４】本発明に係る音量監視装置における音声信号分析部における演算について説明する図である。
【図５】本発明に係る音量監視装置におけるスライド幅決定部の構成例を示すブロック図である。
【図６】本発明の第１の実施形態に係る音量監視装置の第１の動作例を示すフローチャートである。
【図７】本発明の第２の実施形態に係る音量監視装置の第２の動作例を示すフローチャートである。
【図８】本発明の第２の実施形態に係る音量監視装置の切り出し開始位置の移動例を示す図である。
【発明を実施するための形態】
【００１６】
以下、本発明の実施形態について、図面を参照して詳細に説明する。
【００１７】
（第１の実施形態）
図１は、本発明の一実施形態に係る音量監視装置の構成例を示すブロック図である。図１に示す例では、音量監視装置１は、音声信号分析部１０と、スライド幅決定部２０と、平均ラウドネス値算出部６０とを備える。平均ラウドネス値算出部６０は、絶対ラウドネス値算出部３０と、最終ラウドネス値算出部４０と、時系列データ記憶部５０とを備える。音声信号分析部１０には測定開始信号が入力される。本実施形態では、測定開始信号を測定開始時刻を示す信号とするが、測定の開始を指示する信号であってもよい。また、絶対ラウドネス値算出部３０には測定終了信号が入力される。本実施形態では、測定終了信号を測定終了時刻を示す信号とするが、測定の終了を指示する信号であってもよい。なお、音声ファイルの頭から終わりまでを測定する場合は、測定開始信号及び測定終了信号は不要である。
【００１８】
音量監視装置１は入力される音声信号を分析して有音区間の先頭位置を高精度に探索し、平均ラウドネス値を表示装置２に出力する。なお、音量監視装置１が表示装置２を備える構成であってもよい。ここで、有音区間の先頭位置とは、入力される音声信号において有音となる最初の時刻（分析開始時刻）だけでなく、無音になった後に再び有音となる時刻も含む。
【００１９】
図２は、音声信号分析部１０の構成例を示すブロック図である。図２に示す例では、音声信号分析部１０は、複数の音声信号切出部１１（１１−１〜１１−５）と、複数のフィルタ処理部１２（１２−１〜１２−５）と、複数の二乗平均処理部１３（１３−１〜１３−５）と、複数の重み係数処理部１４（１４−１〜１４−５）と、加算処理部１５とを備える。ここではチャンネル数が５チャンネルの例を示している。
【００２０】
音声信号切出部１１は、指定された測定開始時刻になると、入力される音声信号をチャンネルごとに、切り出し開始位置を移動させながら（つまり、オーバーラップさせながら）所定の切り出し区間で切り出してゲーティングブロックを生成し、フィルタ処理部１２に出力する。また、切り出し開始位置の移動量（スライド幅）は、後述するスライド幅決定部２０から入力される絶対ゲーティング判定信号に応じて異なる値とする。
【００２１】
例えば、音声信号切出部１１は、１ビットの絶対ゲーティング判定信号が‘０’である場合には、切り出し開始位置の移動量を第１のスライド幅とし、絶対ゲーティング判定信号が‘１’である場合には、切り出し開始位置の移動量を第１のスライド幅よりも長い第２のスライド幅とする。ここで、第２のスライド幅は予め決められた所定のスライド幅であり、第1のスライド幅はそれよりも短ければよい。
【００２２】
あるいは、音声信号切出部１１は、１ビットの絶対ゲーティング判定信号が‘１’となるまでの間、切り出し開始位置の移動量を第１のスライド幅とし、絶対ゲーティング判定信号が‘１’となった後は、測定が終了するまで切り出し位置の移動量を第１のスライド幅よりも長い第２のスライド幅とする。
【００２３】
図３（ａ）は、音声信号切出部１１における音声信号の切り出しの例を示す図である。また、図３（ｂ）に従来の音声信号の切り出しの例を比較のために示す。従来は、勧告ＩＴＵ−Ｒ ＢＳ．１７７０の規定に従い、図３（ｂ）に示すように、音声信号の切り出し開始位置をスライド幅ａずつ移動させてオーバーラップさせながら切り出し、ゲーティングブロックを生成する。第２のスライド幅であるスライド幅ａは１００ｍｓであり、切り出し区間（ゲーティングブロック長）は４００ｍｓである。
【００２４】
一方、本発明では図３（ａ）に示すように、絶対ゲーティング判定信号が‘０’の場合には切り出し開始位置をスライド幅ｂだけ移動させ、絶対ゲーティング判定信号が‘１’の場合には切り出し開始位置をスライド幅ａだけ移動させる。第１のスライド幅であるスライド幅ｂはスライド幅ａ（１００ｍｓ）よりも短く、例えば１０ｍｓとする。
【００２５】
フィルタ処理部１２は、音声信号切出部１１により切り出された音声信号をＫ特性フィルタによりフィルタ処理し、二乗平均処理部１３に出力する。
【００２６】
二乗平均処理部１３は、フィルタ処理部１２により処理されたデータの二乗平均値ｚiを算出し、重み係数処理部１４に出力する。なお、添え字のｉはチャンネルを意味する。
【００２７】
重み係数処理部１４は、二乗平均処理部１３により算出された二乗平均値ｚiに、チャンネルｉごとに定められた重み係数Ｇiを乗じ、ｚi・Ｇiを加算処理部１５に出力する。
【００２８】
加算処理部１５は、チャンネルごとに重み係数処理部１４により算出された値を加算し、加算値Ｓtをスライド幅決定部２０に出力する。
【００２９】
図４は、音声信号分析部１０における演算について説明する図である。スライド幅ａよりも短いスライド幅ｂで切り出し開始位置を移動させると、従来よりもゲーティングブロックの数が増加し、ゲーティングブロック内に含まれる音声信号は重複するため、何度も加算値Ｓtを計算することになる。そのため、図４に示すように、ゲーティングブロックごとに加算値を算出するのではなく、スライド幅ｂごとに加算値を算出し、重複している区間の音声信号の演算処理は１回のみ行うようにしてもよい。この場合、スライド幅ｂごとの加算値をそれぞれ記憶部に保存しておき、切り出し区間ｔ1〜ｔnの加算値Ｓ（ｔ1：ｔn）から時刻ｔ1の加算値Ｓ（ｔ1）を減算し、時刻ｔn+1の加算値Ｓ（ｔn+1）を加算することで、切り出し区間ｔ2〜ｔn+1の加算値Ｓ（ｔ2：ｔn+1）を得ることができる。これにより、計算時間を軽減することが可能となる。
【００３０】
図５は、スライド幅決定部２０の構成例を示すブロック図である。図５に示す例では、スライド幅決定部２０は、ゲーティングラウドネス値算出部２１と、絶対ゲーティング判定部２２とを備える。
【００３１】
ゲーティングラウドネス値算出部２１は、加算処理部１５により算出された加算値Ｓtを用いて式（１）により各ゲーティングブロックのラウドネス値（ゲーティングブロックラウドネス値）Ｌtを算出し、絶対ゲーティング判定部２２に出力する。
【００３２】
【数１】
0006487764.tif 000002
【００３３】
絶対ゲーティング判定部２２は、ゲーティングラウドネス値算出部２１により算出されたゲーティングラウドネス値Ｌtが絶対閾値（−７０ＬＫＦＳ）を超えるか否かを判定し、判定結果を示す１ビットの絶対ゲーティング判定信号を音声信号切出部１１に出力するとともに、ゲーティングラウドネス値Ｌtが絶対閾値を超える場合にのみ、加算値Ｓtを絶対ラウドネス値算出部３０に出力する。以下、ゲーティングラウドネス値Ｌtが絶対閾値を超えるゲーティングブロックを「有効ブロック」と称し、ゲーティングラウドネス値Ｌtが絶対閾値以下のゲーティングブロックを「無効ブロック」と称する。
【００３４】
なお、本実施形態のスライド幅決定部２０では、ゲーティングラウドネス値算出部２１によりゲーティングラウドネス値を算出し、絶対ゲーティング判定部２２ではゲーティングラウドネス値を閾値判定するが、ラウドネス値にする前の加算値を閾値判定してもよい。つまり、絶対閾値（−７０ＬＫＦＳ）に対応する加算値をＳaとし、ＳtがＳa以下の場合には‘０’とし、ＳtがＳaを超える場合には‘１’とする１ビットの絶対ゲーティング判定信号を出力してもよい。この場合、スライド幅決定部２０ではゲーティングラウドネス値を算出しないため、計算量を削減することができる。
【００３５】
絶対ラウドネス値算出部３０は、絶対ゲーティング判定信号が‘０’である場合、このゲーティングブロックは聴感上番組全体の音の大きさに寄与しない無効ブロックであるとして平均ラウドネス値の算出には用いない。一方、絶対ゲーティング判定信号が‘１’である場合は、このゲーティングブロックは聴感上番組全体の音の大きさに寄与する有効ブロックであるとして平均ラウドネス値の算出に用いる。そのため、絶対ラウドネス値算出部３０は、絶対ゲーティング判定部２２から入力される加算値Ｓt、すなわち有効ブロックの加算値Ｓtを時系列データ記憶部５０に記録するとともに、有効ブロックの数ｋをカウントする。そして、指定された測定終了時刻となるか、又は音声信号が最後まで再生されると、絶対ラウドネス値算出部３０は、最終的な番組の平均ラウドネス値を算出すべく、まず各有効ブロックの加算値Ｓtの総和を有効ブロックの数ｋで除算した平均値ＳKGAを算出する。そして、式（２）により絶対ゲーティング後のラウドネス値（絶対ラウドネス値）ＬKGAを算出し、最終ラウドネス値算出部４０に出力する。
【００３６】
【数２】
0006487764.tif 000003
【００３７】
最終ラウドネス値算出部４０は、絶対ラウドネス値算出部３０により算出された絶対ラウドネス値から相対的に求めた閾値（例えば、絶対ラウドネス値から１０ｄＢを引いた値）を相対閾値として、ゲーティングラウドネス値Ｌtが相対閾値以上のゲーティングブロックの加算値Ｓtのみを時系列データ記憶部５０から再度抽出し、該加算値Ｓtの平均値ＳKGを算出する。そして、式（３）により最終的な番組の平均ラウドネス値ＬKGを算出し、表示装置２に出力する。すなわち、平均ラウドネス値算出部６０は、絶対ゲーティング判定部２２により加算値が絶対閾値を超えると判定されたゲーティングブロックを用いて相対閾値を算出し、相対閾値を超えると判定されたゲーティングブロックを用いて、音声信号の測定開始時刻から測定終了時刻までの区間、又は音声信号全体の区間における平均ラウドネス値ＬKGを算出する。
【００３８】
【数３】
0006487764.tif 000004
【００３９】
次に、本実施形態の音量監視装置１の動作について説明する。図６は本実施形態の音量監視装置１の動作例を示すフローチャートである。
【００４０】
まず、音声信号切出部１１は、後述する絶対ゲーティング判定信号Ａの値に基づき、音声信号の切り出し開始位置を決定する（ステップＳ１０１）。具体的には、絶対ゲーティング判定信号Ａ＝‘１’の場合には（ステップＳ１０５）、切り出し開始位置をスライド幅ａだけ移動させ、絶対ゲーティング判定信号Ａ＝‘０’の場合には（ステップＳ１０６）、切り出し開始位置をスライド幅ｂだけ移動させる。あるいは、絶対ゲーティング判定信号Ａ＝‘１’となるまでの間、切り出し開始位置をスライド幅ｂだけ移動させ、絶対ゲーティング判定信号が‘１’となった後は、切り出し開始位置をスライド幅ａだけ移動させる。そして音声信号切出部１１は、ステップＳ１０１において決定された切り出し開始位置から所定の切り出し区間分の音声信号を切り出し、ゲーティングブロックを生成する（ステップＳ１０２）。
【００４１】
ゲーティングラウドネス値算出部２１は、音声信号分析部１０により加算値が算出されると、該加算値を用いてゲーティングラウドネス値Ｌtを算出する（ステップＳ１０３）。絶対ゲーティング判定部２２は、ステップＳ１０３において算出されたゲーティングラウドネス値Ｌtが絶対閾値（−７０ＬＫＦＳ）を超えるか否かを判定し、判定結果を示す絶対ゲーティング判定信号Ａを生成する（ステップＳ１０４）。ゲーティングラウドネス値Ｌtが絶対閾値を超える場合には絶対ゲーティング判定信号Ａ＝‘１’とし（ステップＳ１０５）、ゲーティングラウドネス値Ｌtが絶対閾値以下の場合には絶対ゲーティング判定信号Ａ＝‘０’とする（ステップＳ１０６）。
【００４２】
ステップＳ１０４において、ゲーティングラウドネス値Ｌtが絶対閾値を超えると判定された場合には、絶対ラウドネス値算出部３０は、音声信号分析部１０により算出された加算値を時系列データ記憶部５０に保存する（ステップＳ１０７）。そして、指定された測定終了時刻となるか、又は音声信号が最後まで再生されると、絶対ラウドネス値算出部３０は、時系列データ記憶部５０に保存された加算値の平均値から絶対ラウドネス値を算出する（ステップＳ１０８）。最終ラウドネス値算出部４０は、ステップＳ１０８により算出された絶対ラウドネス値を相対ゲーティング処理して最終的な平均ラウドネス値を算出する（ステップＳ１０９）。
【００４３】
また、本実施形態では、絶対閾値を−７０ＬＫＦＳとしたが、番組制作の運用規定においては、目標値が−２４ＬＫＦＳとなっている。よって、相対閾値は目標値から１０ｄＢを引いた−３４ＬＫＦＳ付近になることが想定されるため、最適な分析開始時間を調べるための閾値を−３４ＬＫＦＳとしてもよい。
【００４４】
上述したように、第１の実施形態に係る音量監視装置１は、ゲーティングブロックの音量レベル（例えば、ゲーティングラウドネス値）が絶対閾値を超えるか否かによって、音声信号の切り出し開始位置の移動量を異なる値とする。絶対ゲーティング判定部２２により音量レベルが絶対閾値以下と判定された場合には、切り出し開始位置の移動量を所定のスライド幅である第２のスライド幅よりも短い第１のスライド幅とし、音量レベルが絶対閾値を超えると判定された場合には、切り出し開始位置の移動量を第２のスライド幅とすることで、有音区間の先頭位置を高精度に検出することができる。また、絶対ゲーティング判定部２２により音量レベルが絶対閾値を超えるまでの間、切り出し開始位置の移動量を所定のスライド幅である第２のスライド幅よりも短い第１のスライド幅とし、音量レベルが絶対閾値を超えた後は、測定が終了するまで切り出し開始位置の移動量を第２のスライド幅とすることで、分析開始時刻を高精度に検出することができ、且つ演算量の増加を防ぐことができる。これにより、番組全体の中の有音区間のみをターゲットとして番組全体の平均ラウドネスを求めることができる。従って、本発明によると、編集点を微調整するなど計測開始時刻が変わった場合でも、求める番組全体の平均ラウドネス値の結果は高い再現性が得られるようになる。
【００４５】
（第２の実施形態）
次に、本発明の第２の実施形態について説明する。第２の実施形態の構成は第１の実施形態と同一であるが、音声信号切出部１１及び絶対ゲーティング判定部２２の処理が相違する。他の構成ブロックにおける処理は第１の実施形態と同じであるため、説明を省略する。
【００４６】
本実施形態の音声信号切出部１１は、絶対ゲーティング判定部２２によりゲーティングラウドネス値Ｌtや加算値Ｓtなどで音量レベルが絶対閾値以下と判定された場合には、音量レベルが大きくなるほど切り出し開始位置の移動量が短くなるように変化させる。移動量は音量レベルに応じて連続的に変化させてもよいし、段階的に変化させてもよい。一方、絶対ゲーティング判定部２２により音量レベルが絶対閾値を超えると判定された場合には切り出し開始位置の移動量を一定とする。
【００４７】
以下、絶対ゲーティング判定部２２により音量レベルが絶対閾値以下と判定された場合には、音声信号切出部１１が切り出し開始位置の移動量を段階的に変化させる例について説明する。
【００４８】
絶対ゲーティング判定部２２は、複数の閾値を設け、ゲーティングラウドネス値算出部２１により算出されたゲーティングラウドネス値Ｌtと複数の閾値との大小関係を判定する。例えば、閾値を−７０ＬＫＦＳ、−８０ＬＫＦＳ、−９０ＬＫＦＳ、−１００ＬＫＦＳとし、絶対ゲーティング判定部２２はゲーティングラウドネス値Ｌtが−１００ＬＫＦＳ以下であるか、−１００ＬＫＦＳ〜−９０ＬＫＦＳの範囲内であるか、−９０ＬＫＦＳ〜−８０ＬＫＦＳの範囲内であるか、−８０ＬＫＦＳ〜−７０ＬＫＦＳの範囲内であるか、−７０ＬＫＦＳを超えるかを判定し、判定結果を示す絶対ゲーティング判定信号を音声信号切出部１１に出力するとともに、ゲーティングラウドネス値Ｌtが−７０ＬＫＦＳを超える場合にのみ、加算値Ｓtを絶対ラウドネス値算出部３０に出力する。
【００４９】
音声信号切出部１１は、絶対ゲーティング判定信号に基づいてスライド幅を変化させる。例えば、ゲーティングラウドネス値Ｌtが−１００ＬＫＦＳ以下である場合にはスライド幅ｂを１００ｍｓとし、−１００ＬＫＦＳ〜−９０ＬＫＦＳの範囲内である場合にはスライド幅ｂを５０ｍｓとし、−９０ＬＫＦＳ〜−８０ＬＫＦＳの範囲内である場合にはスライド幅ｂを１０ｍｓとし、−８０ＬＫＦＳ〜−７０ＬＫＦＳの範囲内である場合にはスライド幅ｂを５ｍｓとし、−７０ＬＫＦＳを超える場合には従来どおり１００ｍｓのスライド幅ａとする。
【００５０】
次に、本実施形態の音量監視装置１の動作について説明する。図７は本実施形態の音量監視装置１の動作例を示すフローチャートである。
【００５１】
まず、音声信号切出部１１は、後述する絶対ゲーティング判定信号Ａの値に基づき、音声信号の切り出し開始位置を決定する（ステップＳ２０１）。例えば、絶対ゲーティング判定信号Ａ＝‘１００’の場合には（ステップＳ２０２）、切り出し開始位置を１００ｍｓ（スライド幅ａ）だけ移動させ、絶対ゲーティング判定信号Ａ＝‘０００’の場合には（ステップＳ２０４）、切り出し開始位置を１００ｍｓだけ移動させ、絶対ゲーティング判定信号Ａ＝‘００１’の場合には（ステップＳ２０６）、切り出し開始位置を５０ｍｓだけ移動させ、絶対ゲーティング判定信号Ａ＝‘０１０’の場合には（ステップＳ２０８）、切り出し開始位置を１０ｍｓだけ移動させ、絶対ゲーティング判定信号Ａ＝‘０１１’の場合には（ステップＳ２０９）、切り出し開始位置を５ｍｓだけ移動させる。そして音声信号切出部１１は、ステップＳ１０１において決定された位置から所定の切り出し区間分の音声信号を切り出し、ゲーティングブロックを生成する（ステップＳ１０２）。
【００５２】
ゲーティングラウドネス値算出部２１は、音声信号分析部１０により加算値が算出されると、該加算値を用いてゲーティングラウドネス値Ｌtを算出する（ステップＳ１０３）。絶対ゲーティング判定部２２は、ステップＳ１０３において算出されたゲーティングラウドネス値Ｌtが第１の閾値（絶対閾値である−７０ＬＫＦＳ）を超えるか否かを判定する（ステップＳ１０４）。
【００５３】
ゲーティングラウドネス値Ｌtが絶対閾値を超える場合には３ビットの絶対ゲーティング判定信号Ａ＝‘１００’とし（ステップＳ２０２）、ゲーティングラウドネス値Ｌtが第１の閾値（絶対閾値）以下の場合には第２の閾値（−１００ＬＫＦＳ）以下であるか否かを判定する（ステップＳ２０３）。ゲーティングラウドネス値Ｌtが第２の閾値以下である場合には絶対ゲーティング判定信号Ａ＝‘０００’とする（ステップＳ２０４）。ゲーティングラウドネス値Ｌtが第２の閾値を超える場合には第３の閾値（−９０ＬＫＦＳ）以下であるか否かを判定する（ステップＳ２０５）。ゲーティングラウドネス値Ｌtが第３の閾値以下である場合には絶対ゲーティング判定信号Ａ＝‘００１’とする（ステップＳ２０６）。ゲーティングラウドネス値Ｌtが第３の閾値を超える場合には第４の閾値（−８０ＬＫＦＳ）以下であるか否かを判定する（ステップＳ２０７）。ゲーティングラウドネス値Ｌtが第４の閾値以下である場合には絶対ゲーティング判定信号Ａ＝‘０１０’とする（ステップＳ２０８）。ゲーティングラウドネス値Ｌtが第４の閾値を超える場合には絶対ゲーティング判定信号Ａ＝‘０１１’とする（ステップＳ２０９）。
【００５４】
以下は第１の実施形態と同じであり、ステップＳ１０４において、ゲーティングラウドネス値Ｌtが絶対閾値を超えると判定された場合には、絶対ラウドネス値算出部３０は、音声信号分析部１０により算出された加算値を時系列データ記憶部５０に保存する（ステップＳ１０７）。そして、絶対ラウドネス値算出部３０は、時系列データ記憶部５０に保存された加算値の平均値から絶対ラウドネス値を算出する（ステップＳ１０８）。最終ラウドネス値算出部４０は、ステップＳ１０８により算出された絶対ラウドネス値から相対的に求めた閾値を相対閾値として、時系列データ記憶部５０に保存された加算値を相対ゲーティング処理して最終的な平均ラウドネス値を算出する（ステップＳ１０９）。
【００５５】
図８は、第２の実施形態に係る音量監視装置１のゲーティングブロックの移動例を示す図である。第２の実施形態に係る音量監視装置１は、図８に示すように、ゲーティングラウドネス値が第１の閾値（絶対閾値）に近づくにつれて、徐々に切り出し開始位置の移動量をスライド幅ｃ１からｃ４へ短くしていく。そして、ゲーティングラウドネス値が第１の閾値（絶対閾値）を超えると、切り出し開始位置の移動量をスライド幅ａとする。また、同じ音声信号を何度も測定する場合など番組途中の無音区間の影響を無視してもよい場合は、分析開始時刻のみを高精度に探索し、その後は測定が終了するまで切り出し開始位置を一定のスライド幅ａで移動させるようにしてもよい。
【００５６】
上述したように、第２の実施形態に係る音量監視装置１は、絶対ゲーティング判定部２２により音量レベルが絶対閾値以下と判定された場合には、音量レベルが大きくなるほど切り出し開始位置の移動量が短くなるように変化させ、音量レベルが絶対閾値を超えると判定された場合には切り出し開始位置の移動量を一定とする。このため、有音区間の先頭位置を高速かつ高精度に探索することができ、さらに第１の実施形態に係る音量監視装置１と比較してゲーティングブロックの数を少なくして計算の負荷を軽減することができる。
【００５７】
また、番組制作の運用規定においては目標値が−２４ＬＫＦＳとなっており、相対閾値は−３４ＬＫＦＳ付近になることが想定されるため、最適な分析開始時間を調べるための閾値を−３４ＬＫＦＳとしてもよい。この場合も同様に、音声レベルによって閾値を上回る確率が変わるため、ゲーティングラウドネス値によってスライド幅を変えることで計算の負荷を軽減することができる。
【００５８】
なお、上述した第１及び第２の実施形態の音量監視装置１として機能させるためにコンピュータを好適に用いることができ、そのようなコンピュータは、音量監視装置１の各機能を実現する処理内容を記述したプログラムを該コンピュータの記憶部に格納しておき、該コンピュータのＣＰＵによってこのプログラムを読み出して実行させることで実現することができる。なお、このプログラムは、コンピュータ読取り可能な記録媒体に記録可能である。
【００５９】
上述の実施形態は代表的な例として説明したが、本発明の趣旨及び範囲内で、多くの変更及び置換ができることは当業者に明らかである。したがって、本発明は、上述の実施形態によって制限するものと解するべきではなく、特許請求の範囲から逸脱することなく、種々の変形や変更が可能である。例えば、実施形態に記載の複数の構成ブロックを１つに組み合わせたり、あるいは１つの構成ブロックを分割したりすることが可能である。
【００６０】
また、本実施例では、測定開始時刻、測定終了時刻を手動で入力することを想定したが、音響再生装置や送出装置などの音声信号を受信し、自動的に測定開始時刻や測定終了時刻を設定してもよい。また、番組全体の平均ラウドネス値を番組終了時に算出することにしたが、ゲーティングラウドネス値が絶対閾値を下回った無音区間中に算出したり、１０秒毎など定期的に算出したりしてもよい。
【産業上の利用可能性】
【００６１】
本発明に係る音量監視装置は、番組制作時や番組交換時などの平均ラウドネス値の測定において有用である。
【符号の説明】
【００６２】
１    音量監視装置
２    表示装置
１０  音声信号分析部
１１  音声信号切出部
１２  フィルタ処理部
１３  二乗平均処理部
１４  重み係数処理部
１５  加算処理部
２０  スライド幅決定部
２１  ゲーティングラウドネス値算出部
２２  絶対ゲーティング判定部
３０  絶対ラウドネス値算出部
４０  最終ラウドネス値算出部
５０  時系列データ記憶部
６０  平均ラウドネス値算出部
【図１】
0006487764.tif 000005
【図２】
0006487764.tif 000006
【図３】
0006487764.tif 000007
【図４】
0006487764.tif 000008
【図５】
0006487764.tif 000009
【図６】
0006487764.tif 000010
【図７】
0006487764.tif 000011
【図８】
0006487764.tif 000012